(57)【要約】【課題】ボタン付きの衣服のような外観を呈するにもかかわらず、上下に重なり合う開閉可能な縁部を容易に閉止できるようにした衣服を提供する。【解決手段】衣服の上下に重なり合う開閉可能な縁部１ａ、１ｂに、互いに弾性嵌合可能な雌又は雄のスナップ２ａと雄又は雌のスナップ２ｂとからなる合成樹脂製スナップファスナーを取り付けた衣服であって、前記雌雄のスナップ２ａ、２ｂのうち、上に重なる縁部１ａに取り付けるスナップ２ａのリベット部材５の頭部３を、例えば、頭部３の表面中央部を外周部よりも凹入させると共に、この凹入させた部分に縫糸の立体模様ａを付したり、小孔ｂを形成する等して、衣服に糸で縫い付けるボタンの形状に形成する。【選択図】図１
0003149727.tif 000002
【実用新案登録請求の範囲】
【請求項１】
衣服の上下に重なり合う開閉可能な縁部に、互いに弾性嵌合可能な雌又は雄のスナップと雄又は雌のスナップとからなるスナップファスナーを取り付けた衣服であって、前記雌雄のスナップのうち、上に重なる縁部に取り付けるスナップのリベット部材の頭部を、衣服に糸で縫い付けるボタンの形状に形成したことを特徴とする衣服。
【請求項２】
上に重なる縁部に取り付けるスナップにおける合成樹脂製リベット部材の頭部の表面中央部を外周部よりも凹入させると共に、この凹入させた部分に縫糸の立体模様を付したことを特徴とする請求項１に記載の衣服。
【請求項３】
上に重なる縁部に取り付けるスナップにおける合成樹脂製リベット部材の頭部の表面中央部を外周部よりも凹入させると共に、この凹入させた部分に二個又は四個の貫通しない小孔を設けたことを特徴とする請求項１に記載の衣服。
【請求項４】
上に重なる縁部に取り付けるスナップにおける合成樹脂製リベット部材の頭部の表面中央部を外周部よりも凹入させると共に、この凹入させた部分に二個又は四個の貫通した小孔を設けたことを特徴とする請求項１又は２に記載の衣服。
【考案の詳細な説明】
【技術分野】
【０００１】
本考案は、例えば、ワイシャツ、スポーツシャツ、アロハシャツ等のようなボタン付きの衣服の改良に関する。
【背景技術】
【０００２】
一般に、ワイシャツ、スポーツシャツ、アロハシャツ等のようなボタン付きの衣服においては、上下に重なり合う開閉可能な縁部のうち、下に重なる縁部（例えば下前立て）にボタンを糸で縫い付け、上に重なる縁部（例えば上前立て）にボタンホールを形成し、ボタンを留める（ボタンホールに通す）ことにより、ボタンが衣服前面に現れて、衣服のデザインの一部となるように構成されている。
【０００３】
しかし、細かなボタンをボタンホールに通す動作はなかなか面倒であり、特に、窮屈な襟元のボタン留めには苦労することが多い。また、袖口のボタンも片手での動作となるため、ボタン留めはかなり面倒である。
【０００４】
また、衣服の製作にあたっても、縫糸によるボタン付け、ボタンホール縁部の仕上げなど、多くの工程を要し、製作の面倒である。
【０００５】
この点、スナップファスナー付きの衣服は、雄スナップと雌スナップの弾性嵌合によって上下に重なり合う開閉可能な縁部を閉止するので、操作が非常に簡単である。殊に、特許文献１〜４に見られるように、頭部とその裏面中央に突設された先鋭な突起とからなる合成樹脂製のリベット部材と、雌型・雄型の嵌合部の中央に前記縁部に刺し通したリベット部材の突起を挿入してカシメ止めするための貫通孔が形成された合成樹脂製の嵌合部材とで構成したスナップファスナーは、リベット部材の突起を縁部に刺し通して、嵌合部材の貫通孔に挿通し、その突出先端を常温下で打撃により拡径変形させてカシメ止めすることによって衣服に取り付けられるので、縫糸による取付け作業や、ボタンホールの必要がなく、衣服の製作が容易である。しかし、この種のスナップファスナーは、頭部が円盤状であり、外観が異なるので、スナップファスナーを取り付ける衣服の種類が限定されている。
【先行技術文献】
【特許文献】
【０００６】
【特許文献１】特許第３９０５６３７号公報
【特許文献２】特許第４１２１９３４号公報
【特許文献３】特許第４１２１９８０号公報
【特許文献４】特許第４１７２８６６号公報
【考案の概要】
【考案が解決しようとする課題】
【０００７】
本考案は、上記の問題点を踏まえて成されたものであって、その目的とするところは、ボタン付きの衣服のような外観を呈するにもかかわらず、上下に重なり合う開閉可能な縁部を容易に閉止できるようにした衣服を提供することにある。
【課題を解決するための手段】
【０００８】
上記の目的を達成するために本考案が講じた技術的手段は、次のとおりである。即ち、請求項１に記載の考案による衣服は、衣服の上下に重なり合う開閉可能な縁部に、互いに弾性嵌合可能な雌又は雄のスナップと雄又は雌のスナップとからなるスナップファスナーを取り付けた衣服であって、前記雌雄のスナップのうち、上に重なる縁部に取り付けるスナップのリベット部材の頭部を、衣服に糸で縫い付けるボタンの形状に形成したことを特徴している。
【０００９】
請求項２に記載の考案は、請求項１に記載の衣服であって、上に重なる縁部に取り付けるスナップにおける合成樹脂製リベット部材の頭部の表面中央部を外周部よりも凹入させると共に、この凹入させた部分に縫糸の立体模様を付したことを特徴としている。
【００１０】
請求項３に記載の考案は、請求項１に記載の衣服であって、上に重なる縁部に取り付けるスナップにおける合成樹脂製リベット部材の頭部の表面中央部を外周部よりも凹入させると共に、この凹入させた部分に二個又は四個の貫通しない小孔を設けたことを特徴としている。
【００１１】
請求項４に記載の考案は、請求項１又は２に記載の衣服であって、上に重なる縁部に取り付けるスナップにおける合成樹脂製リベット部材の頭部の表面中央部を外周部よりも凹入させると共に、この凹入させた部分に二個又は四個の貫通した小孔を設けたことを特徴としている。
【考案の効果】
【００１２】
請求項１に記載の考案によれば、上に重なる縁部に取り付けるスナップのリベット部材の頭部が衣服に糸で縫い付けるボタンの形状に形成されているので、上下に重なり合う開閉可能な縁部に取り付けられた雌雄のスナップを弾性嵌合した状態においては、上に重なる縁部の表面に、ボタン形状の頭部のみが現れることになる。
従って、見る人に糸で縫い付けられたボタンのような印象を与えることになり、恰もボタン付きの衣服のような外観を呈するにもかかわらず、スナップ作用による開閉であるから、上下に重なり合う開閉可能な縁部を容易に閉止できる。
【００１３】
また、スナップファスナーは、リベット部材の突起を縁部に刺し通して、嵌合部材の貫通孔に挿通し、その突出先端を常温下で打撃により拡径変形させてカシメ止めすることによって衣服に取り付けられるので、縫糸による取付け作業や、ボタンホールの必要がなく、衣服の製作が容易である。
【００１４】
請求項２に記載の考案によれば、上に重なる縁部に取り付けるスナップにおける合成樹脂製リベット部材の頭部の表面中央部を外周部よりも凹入させると共に、この凹入させた部分に縫糸の立体模様を付したので、見る人に糸で縫い付けられたボタンのような印象を一層強く与えることができる。
【００１５】
また、請求項３に記載の考案のように、上に重なる縁部に取り付けるスナップにおける合成樹脂製リベット部材の頭部の表面中央部を外周部よりも凹入させると共に、この凹入させた部分に二個又は四個の貫通しない小孔を設けただけでも、見る人に糸で縫い付けられたボタンのような印象を与えることができるが、請求項４に記載の考案のように、上に重なる縁部に取り付けるスナップにおける合成樹脂製リベット部材の頭部の表面中央部を外周部よりも凹入させると共に、この凹入させた部分に二個又は四個の貫通した小孔を設けることにより、小孔を通して衣服表面（縁部表面）が見え、見る人に糸で縫い付けられたボタンのような印象を強く与えることができる。
【図面の簡単な説明】
【００１６】
【図１】一部を拡大して示した本考案に係る衣服の説明図である。
【図２】要部の断面図である。
【図３】リベット部材の斜視図である。
【図４】図３のＡ−Ａ線断面図である。
【図５】他の実施形態を示すリベット部材の斜視図である。
【図６】他の実施形態を示すリベット部材の斜視図である。
【図７】図６に示したリベット部材の断面図である。
【図８】本考案に係る衣服の他の例を示す斜視図である。
【考案を実施するための形態】
【００１７】
以下、本考案の実施形態を図面に基づいて説明する。図１は、本考案に係る衣服の一例を示す。この衣服は、ワイシャツであって、前開き部分の上下に重なり合う開閉可能な縁部１ａ、１ｂに、ボタンとボタンホールに代えて、互いに弾性嵌合可能な雌又は雄のスナップ２ａと雄又は雌のスナップ２ｂとからなる合成樹脂製スナップファスナーを取り付けてある。
【００１８】
一個の合成樹脂製スナップファスナーは、図２に示すように、頭部３とその裏面中央に突設された先鋭な突起４とからなる二個の合成樹脂製リベット部材５と、雌型・雄型の嵌合部６の中央に前記縁部１ａ、１ｂに刺し通したリベット部材５の突起４を挿入してカシメ止めするための貫通孔７が形成された二個の合成樹脂製嵌合部材８とで構成されるものであり、リベット部材５の突起４を縁部１ａ、１ｂに刺し通して、嵌合部材８の貫通孔7に挿通し、その突出先端を常温下で打撃により拡径変形させてカシメ止めすることによって衣服に取り付けられている。
【００１９】
前記雌雄のスナップ２ａ、２ｂのうち、上に重なる縁部１ａに取り付けるスナップ２ａのリベット部材５の頭部３は、衣服に糸で縫い付けるボタンの形状に形成されている。具体的には、リベット部材５を射出成形する際、図３、図４に示すように、リベット部材５の頭部３の表面中央部を外周部よりも凹入させると共に、この凹入させた部分に縫糸の立体模様ａを付してある。袖口における上下に重なり合う開閉可能な縁部についても、同様な雌雄のスナップ２ａ、２ｂが用いられており、上に重なる縁部には、ボタン形状に形成されたリベット部材頭部が現れるように構成されている。
【００２０】
尚、図１、図２の例では、縫糸の立体模様ａを十字状としてあるが、図５の（Ａ）に示すように、縫糸の立体模様ａを平行な２本線状としてもよく、図５の（Ｂ）に示すように、縫糸の立体模様ａを四角形状としてもよい。
【００２１】
上記の構成によれば、上に重なる縁部１ａに取り付けるスナップ２ａのリベット部材５の頭部３が衣服に糸で縫い付けるボタンの形状に形成されているので、上下に重なり合う開閉可能な縁部１ａ、１ｂに取り付けられた雌雄のスナップ２ａ、２ｂを弾性嵌合した状態においては、上に重なる縁部１ａの表面に、ボタン形状の頭部３のみが現れることになる。
【００２２】
従って、見る人に糸で縫い付けられたボタンのような印象を与えることになる。殊に、図示の実施形態では、リベット部材５の頭部３の表面中央部を外周部よりも凹入させると共に、この凹入させた部分に縫糸の立体模様ａを付したので、見る人に糸で縫い付けられたボタンのような印象を一層強く与えることができる。
【００２３】
そのため、恰もボタン付きの衣服のような外観を呈することになり、それでいて、スナップ作用による開閉であるから、上下に重なり合う開閉可能な縁部１ａ、１ｂを容易に閉止できる。
【００２４】
また、スナップファスナーは、リベット部材の突起を縁部に刺し通して、嵌合部材の貫通孔に挿通し、その突出先端を常温下で打撃により拡径変形させてカシメ止めすることによって衣服に取り付けられるので、縫糸による取付け作業や、ボタンホールの必要がなく、衣服の製作が容易である。
【００２５】
図６の（Ａ）、（Ｂ）は、他の実施形態を示す。この実施形態は、上述した縫糸の立体模様ａを省略したもので、上に重なる縁部に取り付けるスナップにおける合成樹脂製リベット部材５の頭部３の表面中央部を外周部よりも凹入させると共に、この凹入させた部分に二個又は四個の小孔ｂを設けた点に特徴がある。これらの小孔ｂは、貫通しない小孔（単なる凹部）であってもよいが、図７に示すように、貫通した小孔であることが、小孔ｂを通して下の布地表面が見え、糸付けボタンの印象をより強く与え得る点で好ましい。
【００２６】
尚、本考案に係る衣服としては、白色のワイシャツやカラーのワイシャツの他、図８の（Ａ）、（Ｂ）に示すような半袖シャツやスポーツシャツでもよく、その他、アロハシャツ等、従来のボタン付きの衣服に相当する全ての衣服に本考案は適用できる。また、ボタン形状に形成するリベット部材５の色は、衣服と同じ色でもよく、異なる色に設定してもよい。
【産業上の利用可能性】
【００２７】
ボタンがデザインの要素となっている帽子、手袋等への応用が可能である。
【符号の説明】
【００２８】
１ａ、１ｂ  縁部
２ａ、２ｂ  雌雄のスナップ
３  頭部
４  突起
５  リベット部材
６  嵌合部
７  貫通孔
８  嵌合部材
ａ  縫糸の立体模様
ｂ  小孔
【図１】
0003149727.tif 000003
【図２】
0003149727.tif 000004
【図３】
0003149727.tif 000005
【図４】
0003149727.tif 000006
【図５】
0003149727.tif 000007
【図６】
0003149727.tif 000008
【図７】
0003149727.tif 000009
【図８】
0003149727.tif 000010